(57)【要約】  【課題】  画像表示装置のキャビネットに配設されたカードスロットから、排出されたメモリカードが飛び出して落下することを防止する。  【解決手段】  カードスロット２の前方に前後方向回動自在に配設されて、前進時にカードスロット２の前面に位置し、後退時にカード挿抜経路外へ後退する押圧子１４と、該押圧子１４の基端部に配設されて押圧子１４を回動自在に軸支する回動軸１３と、押圧子１４を前進方向に付勢するコイルばね１５とを備える。また、押圧子１４を回動軸１３を中心とした扇形にするとともに、押圧子１４の前面の外周端にカードスロット２から排出されたカードの先端が係合する突起１６を設ける。【選択図】  図５
2006050180.tif 000002
【特許請求の範囲】
【請求項１】
カードスロットを備えた画像表示装置において、
カードスロットの外側近傍に設置されて、通常時には前進してカードスロットの前面に位置し、後退時にカード挿抜経路外へ後退する押圧子と、
該押圧子を前進方向に付勢する付勢手段と、
を備えたことを特徴とする画像表示装置。
【請求項２】
カードスロットを備えた画像表示装置において、
カードスロットの前方に前後方向回動自在に配設されて、通常時には前進してカードスロットの前面に位置し、後退時にカード挿抜経路外へ後退する押圧子と、
該押圧子の基端部に配設されて押圧子を回動自在に軸支する回動軸と、
前記押圧子を前進方向に付勢する付勢手段と、
を備えたことを特徴とする画像表示装置。
【請求項３】
請求項２に記載の画像表示装置において、
前記押圧子を回動軸を中心とした扇形にするとともに、前記押圧子の前面の外周端にカードの先端が係合する突起を設けたことを特徴とする画像表示装置。
【請求項４】
請求項３に記載の画像表示装置において、
前記押圧子の基端側を画像表示装置本体のキャビネット内に収納するとともに、前記押圧子の先端側を前記キャビネットの外側に露出し、前記押圧子が最前進したときにも押圧子の外周後端が前記キャビネット内に留まることを特徴とした画像表示装置。
【請求項５】
請求項１乃至４のいずれかに記載の画像表示装置において、
カードスロットの右外側または左外側にカードスロット用のエジェクトボタンが配設されている場合に、前記押圧子をカードスロット前面の中央よりもやや左側またはやや右側に配置したことを特徴とする画像表示装置。
【請求項６】
請求項１乃至５のいずれかに記載の画像表示装置において、
前記画像表示装置は画面に垂直な方向に薄型な画像表示装置であって、装置本体の外表面を構成するキャビネットの背面にカード面を画面と平行にしてカードスロットを配設したことを特徴とする画像表示装置。
【発明の詳細な説明】
【技術分野】
【０００１】
本発明は、ＰＣカード等のメモリカードの挿入スロットを備えた薄型テレビ等の画像表示装置に関し、詳しくはメモリカードの挿入スロットの前方に飛び出し防止用の押圧子を備えた画像表示装置に関する。
【背景技術】
【０００２】
液晶テレビ等では、ＰＣカードのカードスロットを備えるものがある。本体が薄型をした液晶テレビでは、カードスロットの設置位置としては、本体の背面を構成するキャビネットにカード面が画面と平行になるように配置されるのが一般的である。このとき、エジェクト方向が上向きとなるように、カードスロットを設置した場合はあまり問題にならないが、エジェクト方向が横向きおよび下向きとなるように配置した場合は、エジェクトボタンが押されたとき、ＰＣカードが飛び出して落下してしまう問題が発生した。また、ＰＣカードを挿入する際にカードスロットが完全にロックされていない状態に誤って、手から離れた場合ＰＣカードが落下してしまう問題も発生した。その対策として、エジェクト機構のばね力を弱めることも検討されたが、ばね力を弱めると、エジェクト能力が低下して、ＰＣカードが排出されない場合が発生してしまうため、ばね力を弱めることには限界があった。また、機構的に、カードスロットからカードが排出されることを防止する従来技術としては、特許文献１に記載の「携帯機器」がある。
【特許文献１】特開２００３−０４４７９３号公報
【発明の開示】
【発明が解決しようとする課題】
【０００３】
しかしながら、特許文献１に記載の「携帯機器」は、ロックツマミをスライドする操作が必要であり、これをそのまま液晶テレビのカードスロットに用いても使い勝手が悪いという問題があった。そこで、本発明は、メモリカードの挿入スロットを備えた薄型テレビ等の画像表示装置において、使い勝手にすぐれていて、カードスロットから排出されたメモリカードが完全に排出されない位置で機械的に排出を阻止する機構を備えることを目的とした。
【課題を解決するための手段】
【０００４】
上記課題を解決するために、本発明は、カードスロットを備えた画像表示装置において、カードスロットの外側近傍に設置されて、通常時には前進してカードスロットの前面に位置し、後退時にカード挿抜経路外へ後退する押圧子と、該押圧子を前進方向に付勢する付勢手段とを備えたことを特徴とする。
また、本発明は、カードスロットを備えた画像表示装置において、カードスロットの前方に前後方向回動自在に配設されて、通常時には前進してカードスロットの前面に位置し、後退時にカード挿抜経路外へ後退する押圧子と、該押圧子の基端部に配設されて押圧子を回動自在に軸支する回動軸と、前記押圧子を前進方向に付勢する付勢手段とを備えたことを特徴とする。
ここで、前記押圧子を回動軸を中心とした扇形にするとともに、前記押圧子の前面の外周端にカードスロットから排出されたカードの先端が係合する突起を設けることが好ましい。
また、前記押圧子の基端側を画像表示装置本体のキャビネット内に収納するとともに、前記押圧子の先端側を前記キャビネットの外側に露出し、前記押圧子が最前進したときにも押圧子の外周後端が前記キャビネット内に留まるようにすることも可能である。
なお、カードスロットの右外側または左外側にカードスロット用のエジェクトボタンが配設されている場合には、前記押圧子をカードスロット前面の中央よりもやや左側またはやや右側に配置することが好ましい。
また、前記画像表示装置は画面に垂直な方向に薄型な画像表示装置であって、装置本体の外表面を構成するキャビネットの背面にカード面を画面と平行にしてカードスロットを配設することも可能である。
【発明の効果】
【０００５】
以上述べたように本発明によれば、カードスロットの前方位置に、通常時には前進してカードスロットの前面に位置し、後退時にカード挿抜経路外へ後退する押圧子を前進方向に付勢して設置したことで、エジェクトボタンが押下されて、カードスロットからメモリカードが飛び出してきても、その前端が押圧子に当接して空中へ飛び出すことが防止される。また、メモリカードの抜き差し操作の際は、押圧子を後退させることで、自在に抜き差し操作が可能となる。
【発明を実施するための最良の形態】
【０００６】
以下、図に基づいて本発明の実施形態を液晶テレビに適用した場合に関し説明する。図１は液晶テレビの前面からみた外観を示す斜視図であり、図２は液晶テレビの後面からみた背面図である。図１および図２において、１００は画像表示を行う液晶パネル、１０１は前キャビネット、１０２は後ろキャビネット、１０３は液晶テレビ本体の操作ボタン類、１０４はスピーカー、１０５はスタンドである。図２に示されるように、後ろキャビネット１０２の下部には、図示しないカバーが着脱自在に取り付けられており、そのカバーを外した内側部分に、ＰＣカードユニットが内蔵されそのカードスロット２が下向きに開口されている。そのカードスロット２の前面に押圧子ユニット５が配設されている。
【０００７】
図３は、図２の拡大図の押圧子ユニット５の部分を示す縦断面図ある。図示されるように、後ろキャビネット１０２の端部に、下方へ９０前方へ９０度重ねて折曲した段差１が形成されて、その段差１の部分の内側にＰＣカードユニット１０が内蔵され、そのカードスロット２が開口されている。このカードスロット２に対して、前方（図では下方）から、ＰＣカード２１が挿抜自在に装着される。このＰＣカードユニット１０はカードの面が、液晶テレビの画面と平行になるように配置されている。段差１の前方には、段差１と連なる後ろキャビネット１０２の低面部３が配設されている。なお、図３中の２２は液晶テレビのバックライトを構成するバックライトシールドであり、２３は後ろキャビネット１０２を支えるシャーシである。
【０００８】
図４は後ろキャビネット１０２の一部を示す斜視図であり、後ろキャビネット１０２の端部に下方へ９０前方へ９０度重ねて折曲した段差１が形成されて、その段差１の部分の内側にＰＣカードユニット１０が内蔵されそのカードスロット２が開口されている。このＰＣカードユニット１０はＰＣカード２１の面が、液晶テレビの画面と平行になるように配置されている。段差１の前方には、段差１と連なる後ろキャビネット１０２の低面部３が配設され、カードスロット２の前方直下の低面部３の一部は切り欠かれている。その切欠き部４に、押圧子ユニット５が装着される。なお、図示していないが、低面部３の段差部分から右側には、後ろキャビネット１０２が配設される。
【０００９】
図５は図４の切欠き部４に、押圧子ユニット５を装着した状態の斜視図である。図では、カードスロット２にＰＣカード２１が挿入されていない状態であり、ＰＣカード２１の代わりにカバー６が挿入されている。なお、図４および図５で段差１の右側部分に接続されているのは入出力ケーブル７〜９であり、カードスロット２の右隣に突設されているのは、ＰＣカード２１を排出する際に押下されるエジェクトボタン１１である。図では、エジェクトボタン１１がカードスロット２の右隣に突設されて、押圧子ユニット５がカードスロット２の左右方向の中央部分よりも左側に配設されている。
【００１０】
これは、ＰＣカード２１の挿抜を右手で行う場合を想定しており、右手でエジェクトボタン１１を押下するとともに、右手で押圧子ユニット５を押し下げる操作をして、ＰＣカード２１を挿抜することがやりやすいように配置されている。なお、左手で操作する場合を想定すると、図とは反対に、エジェクトボタン１１をカードスロット２の左隣に突設して、押圧子ユニット５がカードスロット２の左右方向の中央部分よりも右側に配設することになる。
【００１１】
図６は切欠き部４に装着される押圧子ユニット５の斜視図であり、図７は図６を右側面から見た縦断面図であり、図８は図６を左側から見た左側面図である。図示されるように、押圧子ユニット５は、箱状のホルダ１２の内側に回動軸１３が支持され、その回動軸１３に扇形をした押圧子１４が回動自在に軸支されている。回動軸１３の右側の外側には、コイルばね１５が装着され、コイルばね１５の一端が押圧子１４に係止されることで、押圧子１４を反時計方向へ付勢している。
【００１２】
押圧子１４は、扇形に形成されて、外周部の前進側端部（図７の左端）に突起１６が突設され、その突起１６の下側の窪みに、後述するＰＣカードの先端が係合される。なお、図８の１７は、押圧子１４の側面の中心寄りに突設されたピンであり、ホルダ１２に穿設された孔１８に係合することで、押圧子１４の回動範囲を規制する。この押圧子ユニット５は、ホルダ１２の天板部に下側から螺挿されたビス１９により、図３および図４に示される後ろキャビネット１０２の低面部３の下面側に螺着される。
【００１３】
次に、押圧子ユニット５の使用方法および動作について説明する。図９および図１０は、押圧子ユニット５を右側の側面から見た状態での押圧子１４とＰＣカード２１との位置関係を示す説明図であり、ＰＣカード２１を水平方向にして表示している。最初に、カードスロット２にＰＣカード２１が挿入されていない待機状態は、図９の（ａ）の「待機状態」のようになり、押圧子１４はコイルばね１５に付勢されて時計回り方向に前進して停止している。この状態から、ＰＣカード２１をカードスロット２に挿入しようとすると、図９の（ｂ）の「カード差し状態」のように、押圧子１４を図示しない指先で反時計回り方向に押し戻して、突起１６がＰＣカード２１の挿入経路の下方となる位置に保持してから、ＰＣカード２１を水平方向に左側から右側へ送り込んで、カードスロット２内へ挿入する。
【００１４】
次に、ＰＣカード２１がカードスロット２内へ挿入されてロックされた状態、すなわちＰＣカード２１の「カードロック状態」では、図９の（ｃ）のようになり、押圧子１４は待機状態と同じく、コイルばね１５に付勢されて時計回り方向に前進して停止している。この状態では、押圧子１４はＰＣカード２１の端部から離間している。次に、カードスロット２内からＰＣカード２１を取り出すため、エジェクトボタン１１が押されると、図９の（ｄ）の「カードロック解除状態」となり、カードスロット２内から左方向へ押し出されたＰＣカード２１が押圧子１４に当接して、押圧子１４の付勢力と釣り合う位置まで、押圧子１４を反時計回り方向へ回動させる。すなわち、エジェクトボタン１１が押されても、ＰＣカード２１は、カードスロット２から飛び出すことなく、カードスロット２内に留まった状態となる。この状態は、次の図１０の（ａ）の「カード落下防止ロック状態」となり、押圧子１４の突起１６がＰＣカード２１の先端に係合して、ＰＣカード２１を確実に保持している。
【００１５】
次に、カードスロット２から飛び出したＰＣカード２１は、飛び出し時の勢いで押圧子１４を反時計回り方向へ大きく回動させるが、その後、押圧子１４は若干時計回り方向に戻った後に、その状態で保持される。その状態が図１０の（ｂ）の「カードロック状態」となる。次に、カードスロット２から飛び出して、押圧子１４に保持されているＰＣカード２１を抜き取る場合は、図１０の（ｃ）の「カード抜き状態」のように、押圧子１４を図示しない指先で反時計回り方向に押し戻して、突起１６がＰＣカード２１の取り出し経路の下方となる位置に保持してから、ＰＣカード２１を水平方向に右側から左側へ移動させて、カードスロット２から抜き取る。
【００１６】
ＰＣカード２１が抜き取られた後は、図１０の（ｄ）の「カード待機状態」に復帰し、押圧子１４はコイルばね１５に付勢されて時計回り方向に前進して停止している。なお、図９および図１０の各図に示されるように、後ろキャビネット１０２を貫通している押圧子１４の外周部が扇形であり、扇形部分後端が後ろキャビネット１０２内に常時収納されているため、押圧子１４が時計回り方向に前進した場合も、その背面部と後ろキャビネット１０２との間に隙間が形成されることがない。すなわち、指先による押圧子１４の回動操作の際に、誤って、押圧子１４の背面部分に指を挟まれるといった不具合を確実に防ぐことができる。
【００１７】
なお、図示例は、液晶テレビの背面の右側の略中央部分に下向きにカードスロット２を配置している場合を示しているが、液晶テレビの背面の上下左右の端部に外向きにカードスロットを配置した場合も、同様に、カードスロットの前面に押圧子ユニットを配設することが可能である。
【産業上の利用可能性】
【００１８】
本発明は、液晶テレビ等の薄型表示装置のＰＣカード等のメモリカード用のカードスロット以外には、ブラウン管テレビにも利用可能であり、さらにはＰＣカード以外のＢ−ＣＡＳカード用やＣＡＴＶカード用のカードスロットにも利用可能である。また、本発明の機構サイズを拡大縮小することにより、カードサイズへの対応も可能である。
【図面の簡単な説明】
【００１９】
【図１】本発明に係る液晶テレビの外観図である。
【図２】本発明に係る液晶テレビの外観図である。
【図３】図２の要部の縦断面図である。
【図４】後ろキャビネットの一部を示す斜視図である。
【図５】押圧子ユニットを装着した後ろキャビネットの一部を示す斜視図である。
【図６】押圧子ユニットの斜視図である。
【図７】図６を右側面から見た縦断面図である。
【図８】図６を左側から見た左側面図である。
【図９】押圧子ユニットの押圧子とＰＣカードとの位置関係を示す説明図である。
【図１０】押圧子ユニットの押圧子とＰＣカードとの位置関係を示す説明図である。
【符号の説明】
【００２０】
１  段差
２  カードスロット
３  低面部
４  切欠き部
５  押圧子ユニット
６  カバー
７〜９  入出力ケーブル
１０  ＰＣカードユニット
１１  エジェクトボタン
１２  ホルダ
１３  回動軸
１４  押圧子
１５  コイルばね
１６  突起
１７  ピン
１８  孔
１９  ビス
２１  ＰＣカード
２２  バックライトシールド
２３  シャーシ
１００  液晶パネル
１０１  前キャビネット
１０２  後ろキャビネット
１０３  操作ボタン類
１０４  スピーカー
１０５  スタンド
【図１】
2006050180.tif 000003
【図２】
2006050180.tif 000004
【図３】
2006050180.tif 000005
【図４】
2006050180.tif 000006
【図５】
2006050180.tif 000007
【図６】
2006050180.tif 000008
【図７】
2006050180.tif 000009
【図８】
2006050180.tif 000010
【図９】
2006050180.tif 000011
【図１０】
2006050180.tif 000012